(57)【要約】【課題】移動局ＵＥにおいて構成を複雑にすることなく迅速にＰＲＳを受信することを可能とする。【解決手段】本発明に係る無線基地局ｅＮＢは、周辺セル＃１乃至＃３で用いられるＣＰの長さを送信するように構成されている上位レイヤ情報送信部１１と、周辺セル＃１乃至＃３に配下のセル＃２が含まれている場合には、かかる配下のセル＃２において、かかるＣＰの長さに基づいて生成したＰＲＳを送信するように構成されているＰＲＳ送信部１２と具備する。【選択図】図５
2011049906.tif 000002
【特許請求の範囲】
【請求項１】
周辺セルで用いられるサイクリックプリフィックスの長さを送信するように構成されている第１送信部と、
前記周辺セルに配下のセルが含まれている場合は、当該配下セルにおいて、前記サイクリックプリフィックスの長さに基づいて生成した参照信号を送信するように構成されている第２送信部と具備することを特徴とする無線基地局。
【請求項２】
前記第１送信部は、前記セルに割り当てられているセルＩＤ及び該セルにおける送信タイミング差を更に送信するように構成されていることを特徴とする請求項１に記載の無線基地局。
【請求項３】
複数のセルで用いられるサイクリックプリフィックスの長さを受信するように構成されている第１受信部と、
前記サイクリックプリフィックスの長さに基づいて、前記複数のセルにおいて送信されている参照信号を受信するように構成されている第２受信部とを具備することを特徴とする移動局。
【請求項４】
前記第１受信部は、前記複数のセルに割り当てられているセルＩＤ及び該セルにおける送信タイミング差を更に受信するように構成されており、
前記第２受信部は、前記サイクリックプリフィックスの長さと前記セルＩＤと前記送信タイミング差とに基づいて、前記複数のセルにおいて送信されている参照信号を受信するように構成されていることを特徴とする請求項３に記載の移動局。
【請求項５】
前記複数のセルから受信した参照信号に基づいて、該複数のセル間の伝搬遅延差を測定するように構成されている伝搬遅延差測定部と、
前記複数のセル間の伝搬遅延差を送信するように構成されている伝搬遅延差送信部とを具備することを特徴とする請求項３に記載の移動局。
【請求項６】
移動局が、周辺セルから受信した参照信号に基づいて、該移動局の在圏セルと該周辺セルと間の伝送遅延差を測定する測定方法であって、
無線基地局が、前記周辺セルで用いられるサイクリックプリフィックスの長さと、該周辺セルに割り当てられるセルＩＤと、前記移動局の在圏セルと該周辺セルとの間の送信タイミング差を送信するステップと、
前記周辺セルに配下のセルが含まれている場合に、前記無線基地局が、該配下のセルにおいて、該配下のセルで用いられるサイクリックプリフィックスに基づいて生成した参照信号を送信するステップと、
前記移動局が、前記周辺セルで用いられるサイクリックプリフィックスの長さと、該周辺セルに割り当てられるセルＩＤと、該移動局の在圏セルと該周辺セルとの間の送信タイミング差を受信するステップと、
前記移動局が、前記サイクリックプリフィックスの長さと前記セルＩＤと前記送信タイミング差とに基づいて、前記周辺セルによって送信されている参照信号を受信するステップと、
前記移動局が、前記周辺セルから受信した参照信号に基づいて、該移動局の在圏セルと該周辺セルとの間の伝搬遅延差を測定するステップと、
前記移動局が、測定した前記伝搬遅延差を前記無線基地局に送信するステップを有することを特徴とする測定方法。
【発明の詳細な説明】
【技術分野】
【０００１】
本発明は、無線基地局、移動局及び測定方法に関する。
【背景技術】
【０００２】
ＬＴＥ（Ｌｏｎｇ  Ｔｅｒｍ  Ｅｖｏｌｕｔｉｏｎ）-Ｒｅｌ.９方式の仕様策定作業では、ＬＣＳ（Ｌｏｃａｔｉｏｎ  Ｓｅｒｖｉｃｅ）において移動局ＵＥが複数のセルからの伝搬遅延差を測定するために、ＣＲＳ（Ｃｏｍｍｏｎ  Ｒｅｆｅｒｅｎｃｅ  Ｓｉｇｎａｌ）よりも高密度に送信することが可能なＰＲＳ（Ｐｏｓｉｔｉｏｎｉｎｇ  Ｒｅｆｅｒｅｎｃｅ  Ｓｉｇｎａｌ）を導入することについての検討がなされている。
【先行技術文献】
【非特許文献】
【０００３】
【非特許文献１】３ＧＰＰ寄書、Ｒ１-０９２８５４
【非特許文献１】３ＧＰＰ寄書、Ｒ１-０９１６６３
【発明の概要】
【発明が解決しようとする課題】
【０００４】
しかしながら、現在のＬＴＥ-Ｒｅｌ.９方式では、ＰＲＳの送信パターンは、「Ｎｏｒｍａｌ  ＣＰ（Ｃｙｃｌｉｃ  Ｐｒｅｆｉｘ：サイクリックプリフィックス）」が用いられる場合と「Ｅｘｔｅｎｄｅｄ  ＣＰ」が用いられる場合とで別々に定義されている。
【０００５】
したがって、移動局ＵＥは、測定する複数のセルにおいて「Ｎｏｒｍａｌ  ＣＰ」及び「Ｅｘｔｅｎｄｅｄ  ＣＰ」のどちらが用いられているか分からないため、「Ｎｏｒｍａｌ  ＣＰ」用のＰＲＳの送信パターン及び「Ｅｘｔｅｎｄｅｄ  ＣＰ」用のＰＲＳの送信パターンの両方を用いて、ＰＲＳを検出する必要があり、移動局ＵＥの構成を複雑にし、移動局ＵＥにおけるＰＲＳの受信処理時間が長くなるという問題点があった。
【０００６】
そこで、本発明は、上述の課題に鑑みてなされたものであり、移動局ＵＥにおいて構成を複雑にすることなく迅速にＰＲＳを受信することを可能とする無線基地局、移動局及び測定方法を提供することを目的とする。
【課題を解決するための手段】
【０００７】
本発明の第１の特徴は、無線基地局であって、周辺セルで用いられるサイクリックプリフィックスの長さを送信するように構成されている第１送信部と、前記周辺セルに配下のセルが含まれている場合は、当該配下セルにおいて、前記サイクリックプリフィックスの長さに基づいて生成した参照信号を送信するように構成されている第２送信部と具備することを要旨とする。
【０００８】
本発明の第２の特徴は、移動局であって、複数のセルで用いられるサイクリックプリフィックスの長さを受信するように構成されている第１受信部と、前記サイクリックプリフィックスの長さに基づいて、前記複数のセルにおいて送信されている参照信号を受信するように構成されている第２受信部とを具備することを要旨とする。
【０００９】
本発明の第３の特徴は、移動局が、周辺セルから受信した参照信号に基づいて、該移動局の在圏セルと該周辺セルと間の伝搬遅延差を測定する測定方法であって、無線基地局が、前記周辺セルで用いられるサイクリックプリフィックスの長さと、該周辺セルに割り当てられるセルＩＤと、前記移動局の在圏セルと該周辺セルとの間の送信タイミング差を送信するステップと、前記周辺セルに配下のセルが含まれている場合に、前記無線基地局が、該配下のセルにおいて、該配下のセルで用いられるサイクリックプリフィックスに基づいて生成した参照信号を送信するステップと、前記移動局が、前記周辺セルで用いられるサイクリックプリフィックスの長さと、該周辺セルに割り当てられるセルＩＤと、該移動局の在圏セルと該周辺セルとの間の送信タイミング差を受信するステップと、前記移動局が、前記サイクリックプリフィックスの長さと前記セルＩＤと前記送信タイミング差とに基づいて、前記周辺セルによって送信されている参照信号を受信するステップと、前記移動局が、前記周辺セルから受信した参照信号に基づいて、該移動局の在圏セルと該周辺セルとの間の伝搬遅延差を測定するステップと、前記移動局が、測定した前記伝搬遅延差を前記無線基地局に送信するステップを有することを要旨とする。
【発明の効果】
【００１０】
以上説明したように、本発明によれば、移動局ＵＥにおいて構成を複雑にすることなく迅速にＰＲＳを受信することを可能とする無線基地局、移動局及び測定方法を提供することができる。
【図面の簡単な説明】
【００１１】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信されるＰＲＳの一例を示す図である。
【図４】本発明の第１の実施形態に係る移動局の機能ブロック図である。
【図５】本発明の第１の実施形態に係る移動通信システムの動作を示すシーケンス図である。
【発明を実施するための形態】
【００１２】
（本発明の第１の実施形態に係る移動通信システムの構成）
図１乃至図４を参照して、本発明の第１の実施形態に係る移動通信システムの構成について説明する。
【００１３】
本実施形態に係る移動通信システムは、ＬＴＥ-Ｒｅｌ.９方式の移動通信システムであり、図１に示すように、本実施形態に係る移動通信システムでは、移動局ＵＥが、複数のセル＃１乃至＃３から、それぞれ、ＰＲＳ＃１乃至＃３を受信することができるように構成されている。
【００１４】
また、本実施形態に係る移動通信システムでは、ＬＣＳを提供するにあたって、測位方式として「ＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ）方式」が用いられるように構成されている。
【００１５】
ＯＴＤＯＡ方式では、移動局ＵＥは、無線基地局ｅＮＢ＃２によって指定された複数のセルからの伝搬遅延差を測定し、当該測定結果を無線基地局ｅＮＢ＃２に報告し、無線基地局ｅＮＢ＃２は、無線基地局ｅＮＢ＃１乃至ｅＮＢ＃３の上位ノードであるＥ-ＳＭＬＣ（Ｅｖｏｌｖｅｄ  Ｓｅｒｖｉｎｇ  Ｍｏｂｉｌｅ  Ｌｏｃａｔｉｏｎ  Ｃｅｎｔｅｒ）に前記報告を転送し、Ｅ-ＳＭＬＣが、かかる伝搬遅延差に基づいて、移動局ＵＥの位置情報を算出するように構成されている。
【００１６】
ＯＴＤＯＡ方式では、３セル以上の伝搬遅延差に基づいて、移動局ＵＥの位置情報を算出することができる。
【００１７】
ここで、本実施形態に係る移動通信システムでは、上述のように、複数のセルからの伝搬遅延差を用いるため、セル間で同期が取られていることが好ましいが、セル間で同期が取られていなくてもよい。
【００１８】
なお、本実施形態では、移動局ＵＥは、セル＃２への接続が完了し、セル＃２に在圏しており、無線基地局ｅＮＢ＃２は、移動局ＵＥに対して、セル＃１乃至＃３間の伝搬遅延差を測定させ、無線基地局ｅＮＢへと報告させるものとして説明を行う。
【００１９】
なお、セル＃１乃至＃３は、同一の無線基地局ｅＮＢによって管理されていてもよいし、図１に示すように、複数の無線基地局ｅＮＢ＃１乃至ｅＮＢ＃３によって管理されていてもよい。以下、本実施形態では、セル＃１乃至＃３が同一の無線基地局ｅＮＢによって管理されているものとして説明を行う。
【００２０】
図２に示すように、無線基地局ｅＮＢは、上位レイヤ情報送信部１１と、ＰＲＳ送信部１２とを具備している。
【００２１】
上位レイヤ情報送信部１１は、移動局ＵＥに対して、周辺セル＃１乃至＃３で用いられるＣＰの長さ（ＣＰ  ｌｅｎｇｔｈ）や、周辺セル＃１乃至＃３に割り当てられているセルＩＤ（例えば、ＰＣＩ：Ｐｙｓｉｃａｌ  Ｃｅｌｌ  ＩＤ）や、周辺セル＃１乃至＃３における送信タイミング差等を送信するように構成されている。
【００２２】
例えば、上位レイヤ情報送信部１１は、移動局ＵＥに対して、報知情報や移動局ＵＥ個別シグナリング等のＲＲＣメッセージによって、周辺セル＃１乃至＃３で用いられるＣＰの長さや、周辺セル＃１乃至＃３に割り当てられているセルＩＤや、周辺セル＃１乃至＃３における送信タイミング差等を送信するように構成されていてもよい。
【００２３】
ＰＲＳ送信部１２は、周辺セルに配下のセルが含まれている場合、かかる配下のセル＃１乃至＃３において、以下のように、上述のＣＰの長さに基づいてＰＲＳを生成して送信するように構成されている。
【００２４】
具体的には、ＰＲＳ送信部１２は、（式１）によって、ＰＲＳの系列を生成するように構成されていてもよい。
【００２５】
【数１】
2011049906.tif 000003
【００２６】
ここで、「ｒｌ，ｎｓ（ｍ）」は、スロット番号ｎｓのスロット内のｌ番目のＯＦＤＭシンボルにおけるｍ番目のサンプルを示す。また、「ＮＲＢＰＲＳ」は、ＰＲＳを送信するリソースブロック（ＲＢ：Ｒｅｓｏｕｒｃｅ  Ｂｌｏｃｋ）の数を示し、上述の報知情報に含まれるパラメータである。また、ｃ（ｍ）は、ランダム系列であり、（式２）によって初期化される。
【００２７】
【数２】
2011049906.tif 000004
【００２８】
ここで、「ＮＩＤｃｅｌｌ」は、各セルに割り当てられているセルＩＤであり、「ＮＣＰ」は、（式３）によって規定されている変数である。
【００２９】
【数３】
2011049906.tif 000005
【００３０】
すなわち、（式３）に示すように、「ＮＣＰ」の値は、ＣＰの長さによって、すなわち、「Ｎｏｒｍａｌ  ＣＰ」が用いられているか或いは「Ｅｘｔｅｎｄｅｄ  ＣＰ」が用いられているかによって変化するように構成されている。
【００３１】
また、上述のように、ＰＲＳの系列は、セルＩＤ（ＰＣＩ等）等のセルに関する情報によって一意に決定されるように構成されている。例えば、ＰＣＩとして割り当て可能な値の範囲は「０〜５０４」であってもよい。
【００３２】
また、ＰＲＳ送信部１２は、上述のように生成された各ＰＲＳ＃１乃至＃３の系列を、リソースエレメント（ＲＥ：Ｒｅｓｏｕｒｃｅ  Ｅｌｅｍｅｎｔ）にマッピングするように構成されている。
【００３３】
例えば、図３（ａ）及び図３（ｂ）に示すように、ＰＲＳ送信部１２は、各リソースブロック内の各リソースエレメントに対して、ＰＲＳの系列をマッピングするように構成されていてもよい。
【００３４】
ここで、図３（ａ）は、「Ｎｏｒｍａｌ  ＣＰ」が用いられている場合のＰＲＳの送信パターンを示し、図３（ｂ）は、「Ｅｘｔｅｎｄｅｄ  ＣＰ」が用いられている場合のＰＲＳの送信パターンを示す。
【００３５】
具体的には、ＰＲＳ送信部１２は、（式４）によって特定されるリソースエレメントに対して、ＰＲＳの系列をマッピングするように構成されていてもよい。
【００３６】
【数４】
2011049906.tif 000006
【００３７】
ここで、「ａｋ，ｌ」は、ｋ番目のサブキャリアで、かつ、ｌ番目のＯＦＤＭシンボルにおけるリソースエレメントのシンボルを示す。なお、サブキャリアｋ及びＯＦＤＭシンボルインデックスｌは、（式５）によって決定される。
【００３８】
【数５】
2011049906.tif 000007
【００３９】
また、ＰＲＳ送信部１２は、各セルにおいて、ＰＲＳがマッピングされたリソースブロックを送信するように構成されている。
【００４０】
なお、ＰＲＳ送信部１２は、ＰＲＳを送信する周波数帯域幅（リソースブロック数）や送信間隔（送信タイミング）について、上位レイヤから通知されるように構成されている。
【００４１】
また、ＰＲＳ送信部１２は、ＰＲＳを送信するリソースブロックでは、ＰＤＳＣＨ（Ｐｈｙｓｉｃａｌ  Ｄｏｗｎｌｉｎｋ  Ｓｈａｎｒｅｄ  Ｃｈａｎｎｅｌ）信号（下りリンクデータ信号）を送信しないように構成されていてもよい。その結果、ＰＲＳのタイミング検出精度を向上させることができる。
【００４２】
図４に示すように、移動局ＵＥは、上位レイヤ情報受信部２１と、ＰＲＳ受信部２２と、ＰＲＳレプリカ生成部２３と、伝搬遅延差測定部２４と、伝搬遅延差送信部２５とを具備している。
【００４３】
上位レイヤ情報受信部２１は、無線基地局ｅＮＢから、周辺セル＃１乃至＃３で用いられるＣＰの長さや、周辺セル＃１乃至＃３に割り当てられているセルＩＤや、周辺セル＃１乃至＃３における送信タイミング差等を受信するように構成されている。
【００４４】
例えば、上位レイヤ情報受信部２１は、報知情報や移動局ＵＥ個別シグナリング等のＲＲＣメッセージを介して、周辺セル＃１乃至＃３で用いられるＣＰの長さや、周辺セル＃１乃至＃３に割り当てられているセルＩＤや、周辺セル＃１乃至＃３における送信タイミング差等を受信するように構成されていてもよい。
【００４５】
ＰＲＳ受信部２２は、セル＃１乃至＃３におけるＰＲＳを受信するように構成されている。具体的には、ＰＲＳ受信部２２は、上述の（式１）乃至（式４）等を参照して、周辺セル＃１乃至＃３におけるＰＲＳを受信するように構成されている。
【００４６】
ＰＲＳレプリカ生成部２３は、上位レイヤ情報受信部２１によって受信された周辺セル＃１乃至＃３のセルＩＤ、及び周辺セル＃１乃至＃３で用いられるＣＰの長さを用いて、周辺セル＃１乃至＃３におけるＰＲＳレプリカを生成するように構成されている。具体的には、ＰＲＳレプリカ生成部２３は、上述の（式１）乃至（式５）等を参照して、周辺セル＃１乃至＃３におけるＰＲＳのレプリカを生成するように構成されている。
【００４７】
伝搬遅延情報測定部２４は、ＰＲＳ受信部２２によって受信されたＰＲＳと、ＰＲＳレプリカ生成部２３によって生成された周辺セル＃１乃至＃３におけるＰＲＳレプリカとに基づいて、周辺セル＃１乃至＃３におけるＰＲＳを検出し、セル＃１乃至＃３間の伝搬遅延差を算出するように構成されている。
【００４８】
伝搬遅延情報測定部２４は、在圏セル＃２とセル＃１との間の伝搬遅延差、及び、在圏セル＃２とセル＃３との間の伝搬遅延差を算出するように構成されていてもよい。
【００４９】
なお、伝搬遅延情報測定部２４は、無線基地局ｅＮＢによって指定されているセルからのＰＲＳを用いるだけではなく、その他のセルから送信されているＰＲＳも含め、精度良く検出できたセルのＰＲＳと在圏セル＃２との間の伝搬遅延差を測定するように構成されていてもよい。ここで、受信したＰＲＳやセル共通の参照信号や同期信号の１つ又は複数の受信レベルが予め定めた閾値以上であった場合に、ＰＲＳを精度良く検出できたと判断してもよい。
【００５０】
また、伝搬遅延情報測定部２４は、無線基地局ｅＮＢに対して、測定した伝搬遅延差及び当該伝搬遅延差を測定したセルのＰＣＩを送信するように構成されている。
【００５１】
（本発明の第１の実施形態に係る移動通信システムの動作）
図５を参照して、本発明の第１の実施形態に係る移動通信システムの動作について説明する。
【００５２】
図５に示すように、無線基地局ｅＮＢは、セル＃２において、ステップＳ１０００で、セル＃１及び＃３に割り当てられているセルＩＤ（例えば、ＰＣＩ）と、セル＃１及び＃３で用いられるＣＰの長さと、セル＃２とセル＃１との間の送信タイミング差と、セル＃２とセル＃３との間の送信タイミング差とを含む上位レイヤ情報を送信する。
【００５３】
無線基地局ｅＮＢは、ステップＳ１００１Ａにおいて、セル＃１におけるＰＲＳ＃１を送信し、ステップＳ１００１Ｂにおいて、セル＃２におけるＰＲＳ＃２を送信し、ステップＳ１００１Ｃにおいて、セル＃３におけるＰＲＳ＃３を送信する。ここで、ステップＳ１００１Ａ乃至Ｓ１００１Ｃは、ステップＳ１０００より前に実施してもよい。
【００５４】
ステップＳ１００２において、移動局ＵＥは、ステップＳ１０００において受信した上位レイヤ情報に基づいて、ステップＳ１００１Ａ乃至Ｓ１００１において送信されているＰＲＳ＃１乃至ＰＲＳ＃３を受信する。
【００５５】
移動局ＵＥは、受信したＰＲＳ＃１乃至ＰＲＳ＃３を用いて、移動局ＵＥの在圏セルであるセル＃２とセル＃１との間の伝搬遅延差、及び、セル＃２とセル＃３との間の伝搬遅延差を測定し、ステップＳ１００３において、測定したセル＃２とセル＃１との間の伝搬遅延差及びセル＃２とセル＃３との間の伝搬遅延差を、セル＃２を介して無線基地局ｅＮＢに送信する。
【００５６】
ステップＳ１００４において、無線基地局ｅＮＢは、かかるセル＃２とセル＃１との間の伝搬遅延差及びセル＃２とセル＃３との間の伝搬遅延差を、Ｅ-ＳＭＬＣに送信する。
【００５７】
（本発明の第１の実施形態に係る移動通信システムの作用・効果）
本発明の第１の実施形態に係る移動通信システムによれば、移動局ＵＥは、無線基地局ｅＮＢによって送信されたＣＰの長さ（すなわち、「Ｎｏｒｍａｌ  ＣＰ」又は「Ｅｘｔｅｎｄｅｄ  ＣＰ」）に応じて、「Ｎｏｒｍａｌ  ＣＰ」用のＰＲＳの送信パターン或いは「Ｅｘｔｅｎｄｅｄ  ＣＰ」用のＰＲＳの送信パターンのいずれか一方のみ考慮して、ＰＲＳを受信することができるため、移動局ＵＥの構成を複雑にすることなく、ＰＲＳの受信処理時間を短縮することができる。
【００５８】
以上に述べた本実施形態の特徴は、以下のように表現されていてもよい。
【００５９】
本実施形態の第１の特徴は、無線基地局ｅＮＢであって、周辺セルで用いられるサイクリックプリフィックスの長さを送信するように構成されている上位レイヤ情報送信部１１（第１送信部）と、前記周辺セルに配下のセルが含まれている場合は、かかる配下のセルにおいて、かかるサイクリックプリフィックスの長さに基づいて生成したＰＲＳ（参照信号）を送信するように構成されているＰＲＳ送信部１２（第２送信部）と具備することを要旨とする。
【００６０】
本実施形態の第１の特徴において、上位レイヤ情報送信部１１は、上述のセルに割り当てられているセルＩＤ（例えば、ＰＣＩ）及びセルにおける送信タイミング差を更に送信するように構成されていてもよい。
【００６１】
本実施形態の第２の特徴は、移動局ＵＥであって、複数のセルで用いられるサイクリックプリフィックスの長さを受信するように構成されている上位レイヤ情報受信部２１（第１受信部）と、かかるサイクリックプリフィックスの長さに基づいて、複数のセルにおいて送信されているＰＲＳを受信するように構成されているＰＲＳ受信部２２（第２受信部）とを具備することを要旨とする。
【００６２】
本実施形態の第２の特徴において、上位レイヤ情報受信部２１は、複数のセルに割り当てられているＰＣＩ及びセルにおける送信タイミング差を更に受信するように構成されており、ＰＲＳ受信部２２は、サイクリックプリフィックスの長さとＰＣＩとセルにおける送信タイミング差とに基づいて、複数のセルにおいて送信されているＰＲＳを受信するように構成されていてもよい。
【００６３】
本実施形態の第２の特徴において、複数のセルにおいて受信したＰＲＳに基づいて、複数のセルからの伝搬遅延差を測定するように構成されている伝搬遅延差測定部２４と、複数のセルからの伝搬遅延差を送信するように構成されている伝搬遅延差送信部２５とを具備してもよい。
【００６４】
本実施形態の第３の特徴は、移動局ＵＥが、周辺セル＃１乃至＃３から受信したＰＲＳ＃１乃至＃３に基づいて、移動局ＵＥの在圏セル＃２と周辺セル＃１、＃３と間の伝送遅延差を測定する測定方法であって、無線基地局ｅＮＢが、周辺セル＃１乃至＃３で用いられるＣＰの長さと、周辺セル＃１乃至＃３に割り当てられるセルＩＤと、移動局ＵＥの在圏セル＃２と周辺セル＃１、＃３との間の送信タイミング差を送信するステップと、周辺セル＃１乃至＃３に配下のセル＃２が含まれている場合に、無線基地局ｅＮＢが、配下のセル＃２において、配下のセル＃２で用いられるＣＰに基づいて生成したＰＲＳを送信するステップと、移動局ＵＥが、周辺セル＃１乃至＃３で用いられるＣＰの長さと、周辺セル＃１乃至＃３に割り当てられるセルＩＤと、移動局ＵＥの在圏セル＃２と周辺セル＃１、＃２との間の送信タイミング差を受信するステップと、移動局ＵＥが、受信したＣＰの長さとセルＩＤと送信タイミング差とに基づいて、周辺セル＃１乃至＃３によって送信されているＰＲＳを受信するステップと、移動局ＵＥが、周辺セル＃１乃至＃３から受信したＰＲＳに基づいて、移動局ＵＥの在圏セル＃２と周辺セル＃１、＃３との間の伝搬遅延差を測定するステップと、移動局ＵＥが、測定した伝搬遅延差を無線基地局ｅＮＢに送信するステップを有することを要旨とする。
【００６５】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００６６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【００６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００６９】
ｅＮＢ…無線基地局
１１…上位レイヤ情報送信部
１２…ＰＲＳ送信部
ＵＥ…移動局
２１…上位レイヤ情報受信部
２２…ＰＲＳ受信部
２３…ＰＲＳレプリカ生成部
２４…伝搬遅延差測定部
２５…伝搬遅延差送信部
【図１】
2011049906.tif 000008
【図２】
2011049906.tif 000009
【図３】
2011049906.tif 000010
【図４】
2011049906.tif 000011
【図５】
2011049906.tif 000012